(57)【要約】【課題】鉄筋の位置決めを容易に行うことができ、作業者の作業習熟度に依存せず、容易かつ短時間に鉄筋の交差部を固定することができる鉄筋結束具を提供する。【解決手段】可撓性を有し、水平方向に連続する細長い帯状又はシート状に形成された基材１４と、基材１４に、所定の間隔をおいて設けられた複数の鉄筋係止部１６，１８を備えた。【選択図】図１
2020159022.tif 000002
【特許請求の範囲】
【請求項１】
可撓性を有し、水平方向に連続する細長い帯状又はシート状に形成された基材と、
前記基材に、所定の間隔をおいて設けられた複数の鉄筋係止部を備えた
ことを特徴とする鉄筋結束具。
【請求項２】
前記鉄筋係止部は、
前記基材に沿って細長く伸び、その長さ方向の一方の端部が前記基材に連続すると共に、長さ方向の他方の端部が、前記一方の端部を支点として前記基材に対して垂直方向に撓むように変形させることができるように形成された舌片と、
前記舌片の前記の一方の端部の近傍に形成されたスリットを備えた
ことを特徴とする請求項１に記載の鉄筋結束具。
【請求項３】
前記鉄筋係止部の前記舌片は、前記基材に形成された細長いＵ字形の切れ目によって、前記基材から切り出され、
前記鉄筋係止部の前記スリットは、前記舌片の前記一方の端部から前記舌片の長さ方向に所定の距離をおいて離れた位置に、前記舌片の幅方向に伸びる直線状に形成された
ことを特徴とする請求項２に記載の鉄筋結束具。
【請求項４】
前記複数の鉄筋係止部は、複数の第１鉄筋係止部と複数の第２鉄筋係止部を備え、
前記第２鉄筋係止部は、前記第１鉄筋係止部と略同一の構成が、略９０度回転したような態様で設けられている
ことを特徴とする請求項１から３のいずれかに記載の鉄筋結束具。
【発明の詳細な説明】
【技術分野】
【０００１】
本発明は、鉄筋コンクリート構造における鉄筋の交差部に用いて、交差する鉄筋を結束して固定する鉄筋結束具に関するものである。
【背景技術】
【０００２】
Ｓ造やＳＲＣ造等の建築構造物における床スラブのような鉄筋コンクリートの構造物においては、コンクリートの引っ張り強度を補強するために、コンクリートの内部に複数の鉄筋が縦横方向に格子状に配置されていた。そして、それら複数の鉄筋は、打設されたコンクリートが硬化するまでの間にその位置が移動しないように、縦横方向の鉄筋が交差する箇所において、鉄筋結束具（例えば特許文献１の図２参照）を用いて、交差する鉄筋を結束することにより固定されていた。
【０００３】
図８及び図９は、従来の鉄筋結束具２について説明するために参照する図である。
【０００４】
鉄筋コンクリート構造の床スラブ１は、図８に示すように、波板状に形成されたデッキプレート４と、デッキプレート４の上面より上方に所定の間隔をおいて配置された格子状の鉄筋６と、デッキプレート４の上側に、鉄筋６が内部に配置されるように打設されたコンクリート８を備えていた。
【０００５】
床スラブ１の鉄筋６は、水平方向に細長く伸びる複数の丸棒状の縦配筋６ａと、縦配筋６ａに対して略直角に設けられた、水平方向に細長く伸びる複数の丸棒状の横配筋６ｂを備え、デッキプレート４の上面より上方に、複数の縦配筋６ａが互いに所定の間隔をおいて略平行に並んで配置されると共に、これらの縦配筋６ａの上に載置されるように、複数の横配筋６ｂが互いに所定の間隔をおいて略平行に並んで配置されていた。
【０００６】
そして、これら複数の縦配筋６ａと複数の横配筋６ｂは、それぞれの縦配筋６ａと横配筋６が交差する箇所で、鉄筋結束具２を用いて、交差する縦配筋６ａと横配筋６ｂを結束することにより固定されていた。
【０００７】
従来の鉄筋結束具２は、図９（ａ）に示すように、細長い針金状の部材をその長さ中央部で折り曲げたような形状に形成されており、その折り曲げた部分にループ状の屈曲部２ａが形成され、屈曲部２ａの両端部から伸びる両側部２ｂを備えていた。
【０００８】
このような鉄筋結束具２を鉄筋６の交差部に巻き付けて、ハッカーと呼ばれる工具を用いて締め付けることにより、交差する鉄筋６を結束して固定していた。
【０００９】
従来の鉄筋結束具２を用いて鉄筋６の交差部を結束して固定する手順は、まず、略平行に並んで配置された複数の縦配筋６ａの上に横配筋６ｂを載置し、その位置（縦配筋６ａに対する角度や隣の横配筋６ｂとの間隔）を計測して、横配筋６ｂの位置決めを行う。
【００１０】
そして、図９（ａ）に示すように、鉄筋結束具２の両側部２ｂを、縦配筋６ａと横配筋６ｂの交差部の下側を通して交差部に巻き付けるように配置し、鉄筋結束具２の屈曲部２ａにハッカー１０のフック状の先端部１０ａを差し入れる。
【００１１】
そして、ハッカー１０の先端部１０ａを、鉄筋結束具２の屈曲部２ａに差し入れたまま、鉄筋結束具２の両側部２ｂに引っ掛けるように移動させ（図９（ａ）参照）、その状態からハッカー１０を回転させて、鉄筋結束具２の屈曲部２ａと両側部２ｂを一緒にねじり合わせる（図９（ｂ）参照）。
【００１２】
そして、鉄筋結束具２の屈曲部２ａと両側部２ｂが十分にねじり合わされて、縦配筋６ａと横配筋６ｂの交差部がきつく締め付けたら、ハッカー１０の先端部１０ａを鉄筋結束具２の屈曲部２ａから引き抜く。
【００１３】
同じようにして、横配筋６ｂと複数の縦配筋６ａの他の交差部（図示せず）についても、鉄筋結束具２を用いて、交差する縦配筋６ａと横配筋６ｂを結束して固定していき、全ての交差部が結束されたら、次の横配筋６ｂを縦配筋６ａの上に載置して位置決めを行い、同じようにして、交差する縦配筋６ａと横配筋６ｂを結束して固定していく。
【００１４】
このようにして、鉄筋結束具２を用いて、複数の縦配筋６ａと複数の横配筋６ｂの全ての交差部について、交差する縦配筋６ａと横配筋６ｂを結束することにより、縦配筋６ａと横配筋６ｂが移動しないように固定されていた。
【先行技術文献】
【特許文献】
【００１５】
【特許文献１】登録実用新案第３０３８３４７号公報
【発明の概要】
【発明が解決しようとする課題】
【００１６】
しかしながら、上述したような従来の鉄筋結束具２では、鉄筋の位置決め作業が煩雑であり、作業効率の低下を招くという問題があった。
【００１７】
すなわち、従来の鉄筋結束具２を用いた鉄筋の結束作業は、縦配筋６ａと横配筋６ｂの交差部を結束する前に、縦配筋６ａの上に載置した横配筋６ｂの、縦配筋６ａに対する角度や隣の横配筋６ｂとの間隔を計測して、横配筋６ｂの位置決めを行う必要があり、その度に計測のための器具を用意しなければならず、また、場合によっては横配筋６ｂを動かしながらその間隔や角度を調整する必要もあるため、位置決め作業は非常に煩雑なものとなっていた。
【００１８】
そして、鉄筋コンクリート構造の規模が大きくなるに従って、結束する鉄筋の数が増加したり、鉄筋自体の長さや径が大きくなって重量が増加したりするため、位置決め作業は一層煩雑なものとなり、作業効率の低下を招いていた。
【００１９】
また、上述したような従来の鉄筋結束具２では、鉄筋を結束する速度や結束部の作業品質が、作業を行う者の作業習熟度に依存するため、作業の合理化がしにくいというという問題があった。
【００２０】
すなわち、従来の鉄筋結束具２を用いた鉄筋の結束作業は、ハッカーという特別な工具を用いて、一か所ずつ手作業で行うものであるため、鉄筋の全ての交差部について、常に一定の締め付け強度で素早く結束するには、相当な熟練を要していた。
【００２１】
そのため、不慣れな者が結束作業を行うと、結束作業に時間がかかってしまい、全体の作業の遅れを招くおそれがあり、またその一方で、作業に慣れた者が結束作業を行うと、結束作業の時間は短縮されるが、そのような高度な技能を有する職人が鉄筋の結束作業に長時間拘束されるため、全体の作業の効率向上の妨げとなるおそれがあった。
【００２２】
そこで本発明は、上記問題点に鑑みて、鉄筋の位置決めを容易に行うことができ、作業者の作業習熟度に依存せず、容易かつ短時間に鉄筋の交差部を固定することができる鉄筋結束具を提供することを課題とするものである。
【課題を解決するための手段】
【００２３】
上記課題を解決するために、本発明の鉄筋結束具は、
可撓性を有し、水平方向に連続する細長い帯状又はシート状に形成された基材と、
前記基材に、所定の間隔をおいて設けられた複数の鉄筋係止部を備えた
ことを特徴とするものである。
【００２４】
また、本発明の鉄筋結束具は、
前記鉄筋係止部は、
前記基材に沿って細長く伸び、その長さ方向の一方の端部が前記基材に連続すると共に、前記一方の端部を支点として、長さ方向の他方の端部が前記基材に対して垂直方向に撓むように変形させることができるように形成された舌片と、
前記舌片の前記の一方の端部の近傍に形成されたスリットを備えた
ことを特徴とするものである。
【００２５】
また、本発明の鉄筋結束具は、
前記鉄筋係止部の前記舌片は、前記基材に形成された細長いＵ字形の切れ目によって、前記基材から切り出され、
前記鉄筋係止部の前記スリットは、前記舌片の前記一方の端部から前記舌片の長さ方向に所定の距離をおいて離れた位置に、前記舌片の幅方向に伸びる直線状に形成された
ことを特徴とするものである。
【００２６】
また、本発明の鉄筋結束具は、
前記複数の鉄筋係止部は、複数の第１鉄筋係止部と複数の第２鉄筋係止部を備え、
前記第２鉄筋係止部は、前記第１鉄筋係止部と略同一の構成が、略９０度回転したような態様で設けられている
ことを特徴とするものである。
【発明の効果】
【００２７】
このような本発明の鉄筋結束具によれば、
可撓性を有し、水平方向に連続する細長い帯状又はシート状に形成された基材と、
前記基材に、所定の間隔をおいて設けられた複数の鉄筋係止部を備えたことにより、
鉄筋の位置決めを容易に行うことができ、作業者の作業習熟度に依存せず、容易かつ短時間に鉄筋の交差部を固定することができる。
【図面の簡単な説明】
【００２８】
【図１】本発明の第１の実施の形態に係る鉄筋結束具１２の平面図である。
【図２】交差する鉄筋６の縦配筋６ａを、鉄筋結束具１２の第１鉄筋係止部１６に係止させる手順を説明するための概略斜視図である。
【図３】交差する鉄筋６の横配筋６ｂを、鉄筋結束具１２の第２鉄筋係止部１８に係止させる手順を説明するための概略斜視図である。
【図４】鉄筋結束具１２を用いて、交差する鉄筋６の複数の縦配筋６ａと複数の横配筋６ｂの交差部を固定する手順を説明するための概略斜視図である。
【図５】本発明の第２の実施の形態に係る鉄筋結束具２２の平面図である。
【図６】鉄筋結束具２２を用いて、交差する鉄筋６の複数の縦配筋６ａと複数の横配筋６ｂの交差部を固定する手順を説明するための概略斜視図である。
【図７】図１に示す鉄筋結束具１２の第１鉄筋係止部１６の異なる形態を示す図であり、第１鉄筋係止部１６の周辺を拡大した拡大平面図である。
【図８】床スラブ１の構造を示す概略斜視図である。
【図９】従来の鉄筋結束具２を用いて、鉄筋６の交差部を結束して固定する手順を説明するための概略斜視図である。
【発明を実施するための形態】
【００２９】
以下、本発明に係る鉄筋結束具を実施するための形態について、図面に基づいて具体的に説明する。
【００３０】
図１ないし図４は、本発明の第１の実施の形態に係る鉄筋結束具１２について説明するために参照する図である。なお、図８及び図９に示した従来の鉄筋結束具２と同様の部分には、一部を除き同じ符号を付して説明するものとする。
【００３１】
本実施の形態に係る鉄筋結束具１２は、図１に示すように、図の紙面に垂直方向に所定の厚さを有し、水平方向（図中左右方向）に連続して細長く伸びる帯状の基材１４と、この基材１４に設けられた複数の第１鉄筋係止部１６、及び複数の第２鉄筋係止部１８を備えている。
【００３２】
鉄筋結束具１２の第１鉄筋係止部１６は、図１に示すように、基材１４の長さ方向に対して直角な幅方向（図中上下方向）に細長く伸びる舌片１６ａと、舌片１６ａの長さ方向の一方（図中下側）の端部の近傍に設けられたスリット１６ｂを備えている。
【００３３】
第１鉄筋係止部１６の舌片１６ａは、基材１４と略同一の厚さを有し、基材１４の幅方向に細長く伸びる帯状に形成され、基材１４を厚さ方向に貫通する舌片１６ａの外形と略同一形状の孔の内側に、その長さ方向の一方の端部が上記孔の側面に連続し、それ以外が基材１４から分離するように設けられている。
【００３４】
すなわち、舌片１６ａは、基材１４の幅方向に細長く伸び、図１中下側に開口する略Ｕ字形の切れ目１６ｃが基材１４に形成され、その切れ目１６ｃの略Ｕ字形の内側部分が、基材１４から切り出されることにより形成されている。
【００３５】
第１鉄筋係止部１６のスリット１６ｂは、基材１４を厚さ方向に貫通する直線状の切れ込みであって、図１に示すように、舌片１６ａの長さ方向の一方（図中下側）の端部より図中下方に所定の距離をおいて離れた位置に、舌片１６ａの長さ方向に対して直角な幅方向（図中左右方向）に伸びるように形成され、スリット１６ｂの長さ方向（図中左右方向）の寸法は、舌片１６ａの幅方向の寸法と略同一に形成されている。
【００３６】
そして、このような第１鉄筋係止部１６が、基材１４の長さ方向（図１中左右方向）に沿って所定の間隔をおいて並ぶように設けられている。
【００３７】
鉄筋結束具１２の第２鉄筋係止部１８は、図１に示すように、基材１４の長さ方向に沿って細長く伸びる舌片１８ａと、舌片１８ａの長さ方向の一方（図中左側）の端部の近傍に設けられたスリット１８ｂを備えている。
【００３８】
第２鉄筋係止部１８の舌片１８ａは、基材１４と略同一の厚さを有し、基材１４の長さ方向に細長く伸びる帯状に形成され、基材１４を厚さ方向に貫通する舌片１８ａの外形と略同一形状の孔の内側に、その長さ方向の一方の端部が上記孔の側面に連続し、それ以外が基材１４から分離するように設けられている。
【００３９】
第２鉄筋係止部１８のスリット１８ｂは、基材１４を厚さ方向に貫通する直線状の切れ込みであって、図１に示すように、舌片１８ａの長さ方向の一方（図中左側）の端部より図中左方に所定の距離をおいて離れた位置に、舌片１８ａの長さ方向に対して直角な幅方向（図中上下方向）に伸びるように設けられ、スリット１８ｂの長さ方向（図中上下方向）の寸法は、舌片１８ａの幅方向の寸法と略同一に形成されている。
【００４０】
すなわち、第２鉄筋係止部１８は、図１に示すように、基材１４に、第１鉄筋係止部１６の舌片１６ａやスリット１６ｂと略同一の構成が、時計回り方向に略９０度回転したような態様で設けられている。
【００４１】
そして、このような第２鉄筋係止部１８が、基材１４の第１鉄筋係止部１６が設けられていない部分に、基材１４の長さ方向（図１中左右方向）に沿って所定の間隔をおいて並ぶように設けられている。
【００４２】
このような本実施の形態に係る鉄筋結束具１２は、その基材１４が、例えば、合成樹脂や金属のような可撓性を有する材料により形成されており、それにより、第１鉄筋係止部１６や第２鉄筋係止部１８の舌片１６ａ，１８ａを、図１の紙面に対して垂直な方向に向かって撓ませるように変形させることができるようになっている。
【００４３】
そして、それにより、鉄筋結束具１２の第１鉄筋係止部１６に、鉄筋結束具１２の長さ方向に沿うように配置された鉄筋（縦配筋６ａ）を係止させることができるようになっている
【００４４】
縦配筋６ａを鉄筋結束具１２の第１鉄筋係止部１６に係止させるには、まず、図２（ａ）に示すように、縦配筋６ａの上に、縦配筋６ａの長さ方向に沿うように鉄筋結束具１２を配置する。
【００４５】
このとき、鉄筋結束具１２は、縦配筋６ａの長さ部分が、鉄筋結束具１２に設けられた第１鉄筋係止部１６の舌片１６ａとスリット１６ｂの間の部分を、舌片１６ａの長さ方向に対して略直角方向に横切るように配置する。
【００４６】
そして、図２（ｂ）に示すように、鉄筋結束具１２の基材１４に設けられた第１鉄筋係止部１６の舌片１６ａを、基材１４に連続したその長さ方向の一方の端部を支点として、基材１４の下面側へ向けて折り曲げて、舌片１６ａの長さ部分が縦配筋６ａの外周部に沿うように変形させる。
【００４７】
そして、図２（ｃ）に示すように、舌片１６ａの先端部を、基材１４の下面側からスリット１６ｂに差し入れ、スリット１６ｂの上端部から突出する舌片１６ａの先端部を、スリット１６ｂから抜けないように、基材１４の上面に沿って折り曲げることにより、縦配筋６ａが鉄筋結束具１２の下面側に係止して固定されるようになっている。
【００４８】
同じようにして、鉄筋結束具１２の第２鉄筋係止部１８に、鉄筋結束具１２の長さ方向に対して略直角な方向に伸びるように配置された鉄筋（横配筋６ｂ）を係止させることができるようになっている。
【００４９】
横配筋６ｂを鉄筋結束具１２の第２鉄筋係止部１８に係止させるには、まず、図３（ａ）に示すように、縦配筋６ａに沿うように配置された鉄筋結束具１２の上に、縦配筋６ａの長さ方向に対して略直角方向に伸びるように横配筋６ｂを配置する。
【００５０】
このとき、横配筋６ｂは、その長さ部分が、鉄筋結束具１２に設けられた第２鉄筋係止部１８の舌片１８ａとスリット１８ｂの間の部分を、舌片１８ａの長さ方向に対して略直角方向に横切るように配置する。
【００５１】
そして、図３（ｂ）に示すように、鉄筋結束具１２の基材１４に設けられた第２鉄筋係止部１８の舌片１８ａを、基材１４に連続したその長さ方向の一方の端部を支点として、基材１４の上面側へ向けて折り曲げて、舌片１８ａの長さ部分が横配筋６ｂの外周部に沿うように変形させる。
【００５２】
そして、図３（ｃ）に示すように、舌片１８ａの先端部を、基材１４の上面側からスリット１８ｂに差し入れ、スリット１８ｂの下端部から突出する舌片１８ａの先端部を、スリット１８ｂから抜けないように、基材１４の下面に沿って折り曲げることにより、横配筋６ｂが鉄筋結束具１２の上面側に係止して固定されるようになっている。
【００５３】
このようにして、鉄筋結束具１２を用いて、略直角に交差する縦配筋６ａと横配筋６ｂを固定することができるようになっている。
【００５４】
次に、このような本実施の形態に係る鉄筋結束具１２を用いて、格子状に配置された鉄筋６（図８参照）のそれぞれの交差部を固定する手順について説明する。
【００５５】
まず、図４（ａ）に示すように、略平行に並んで配置された複数の縦配筋６ａの上に、複数の鉄筋結束具１２を、それぞれの縦配筋６ａの長さ方向に沿うように配置し、それぞれの鉄筋結束具１２の基材１４の長さ方向に沿って設けられた複数の第１鉄筋係止部１６を、図２に示すように、それぞれの縦配筋６ａに係止させる。
【００５６】
そして、図４（ｂ）に示すように、縦配筋６ａに沿うように配置された鉄筋結束具１２の上に、複数の横配筋６ｂを、それぞれの横配筋６ｂが縦配筋６ａの長さ方向に対して略直角方向に伸び、複数の横配筋６ｂが縦配筋６ａの長さ方向に所定の間隔をおいて略平行に並ぶように配置する。
【００５７】
そして、それぞれの鉄筋結束具１２の基材１４の長さ方向に沿って設けられた複数の第２鉄筋係止部１８に、図３に示すように、複数の横配筋６ｂをそれぞれ係止させる。
【００５８】
このようにして、複数の鉄筋結束具１２を用いて、格子状に配置された複数の縦配筋６ａと複数の横配筋６ｂのそれぞれの交差部を固定することができる。
【００５９】
このとき、鉄筋結束具１２は、図４（ｂ）に示すように、その基材１４の長さ方向に沿って設けられた、隣り合う第２鉄筋係止部１８の間の距離Ｄ１が、縦配筋６ａの上に載置される複数の横配筋６ｂの間隔に一致するように形成されている。
【００６０】
このような本実施の形態に係る鉄筋結束具１２を用いることにより、交差する鉄筋の位置決めを容易かつ効率よく行うことができる。
【００６１】
すなわち、横配筋６ｂは、図３に示すように、鉄筋結束具１２に設けられた第２鉄筋係止部１８の舌片１８ａとスリット１８ｂの間の位置に配置されるため、鉄筋結束具１２の適切な位置に第２鉄筋係止部１８を設けて、その鉄筋結束具１２を縦配筋６ａの適切な位置に取り付けることにより、そのまま横配筋６ｂの位置が決定されるようになっている。
【００６２】
これにより、鉄筋６の交差部を固定する一連の作業の一部として横配筋６ｂの位置決めを行うことができ、また、位置決めのために横配筋６ｂを動かす必要がないため、交差する鉄筋の位置決めを容易かつ効率よく行うことができる。
【００６３】
また、本実施の形態に係る鉄筋結束具１２は、第１鉄筋係止部１６や第２鉄筋係止部１８を、基材１４に後から形成することができるため、鉄筋の交差部を効率よく固定することができる。
【００６４】
すなわち、鉄筋結束具１２の第１鉄筋係止部１６や第２鉄筋係止部１８は、基材１４に切れ目１６ｃ，１８ｃとスリット１６ｂ，１８ｂを設けることによって形成されるため、基材１４の第１鉄筋係止部１６や第２鉄筋係止部１８が設けられていない部分に、新たに略Ｕ字形の切れ目と直線状のスリットを形成することによって、第１鉄筋係止部１６や第２鉄筋係止部１８を新たに形成することができるようになっている。
【００６５】
これにより、例えば、横配筋６ｂの位置決めの際に、何らかの原因によって、横配筋６ｂの位置を多少変更する必要が生じたとしても、変更後の位置に新たに第２鉄筋係止部１６を形成することにより、鉄筋結束具１２を交換することなく、横配筋６ｂを固定することができる。
【００６６】
また、鉄筋結束具１２の基材１４に前もって第１鉄筋係止部１６を設けずにおくことにより、鉄筋結束具１２を縦配筋６ａに係止する作業時（図２参照）に、鉄筋の数や固定の強さ等を考慮しながら、適切な位置に第１鉄筋係止部１６を後から形成する、ということができるため、無駄なく効率的に縦配筋６ａを固定することができる。
【００６７】
同じように、鉄筋結束具１２の基材１４に前もって第２鉄筋係止部１８を設けずにおくことにより、横配筋６ｂを鉄筋結束具１２に係止する作業時（図３参照）に、適切な位置に第２鉄筋係止部１８を後から形成する、ということができるため、無駄なく効率的に横配筋６ｂを固定することができる。
【００６８】
また、本実施の形態に係る鉄筋結束具１２は、第１鉄筋係止部１６や第２鉄筋係止部１６の舌片１６ａ，１８ａによって鉄筋６（縦配筋６ａ，横配筋６ｂ）が係止されて固定されるようになっているため、その作業には特別な工具や技能は必要なく、不慣れな者であっても、容易かつ短時間に鉄筋の交差部を固定できる。
【００６９】
また、本実施の形態に係る鉄筋結束具１２の基材１４は、可撓性を有する部材により形成されているため、鉄筋結束具１２をロール状に丸めた状態で保管及び輸送することができ、鉄筋６（縦配筋６ａ，横配筋６ｂ）の長さに応じて、上記ロールから必要な長さの鉄筋結束具１２を引き出して、切り取って使用することができるようになっている。
【００７０】
このように、本実施の形態に係る鉄筋結束具１２によれば、鉄筋の位置決めを容易に行うことができ、作業者の作業習熟度に依存せず、容易かつ短時間に鉄筋の交差部を固定することができる。
【００７１】
図５及び図６は、本発明の第２の実施の形態に係る鉄筋結束具２２について説明するために参照する図である。なお、前記第１の実施の形態に係る鉄筋結束具１２と同様の部分には、一部を除き同じ符号を付して説明するものとする。
【００７２】
本実施の形態に係る鉄筋結束具２２は、前記第１の実施の形態に係る鉄筋結束具１２における基材１４（図１参照）の代わりに、図５に示すような、図の紙面に垂直方向に所定の厚さを有し、水平方向（図中上下左右方向）に連続するシート状に形成された基材２４を備えている点において、前記第１の実施の形態に係る鉄筋結束具１２とはその構成が異なるものである。
【００７３】
そして、複数の第１鉄筋係止部１６が、基材２４の図５中左右方向に沿って所定の間隔をおいて並ぶように設けられると共に、それらの１列に並んだ第１鉄筋係止部１６が、基材２４の図５中上下方向に所定の間隔をおいて略平行に並ぶように複数設けられている。
【００７４】
そして、複数の第２鉄筋係止部１８が、基材２４の第１鉄筋係止部１６が設けられていない部分に、基材２４の図５中上下方向に沿って所定の間隔をおいて並ぶように設けられると共に、それらの１列に並んだ第２鉄筋係止部１８が、基材２４の図５中左右方向に所定の間隔をおいて略平行に並ぶように複数設けられている。
【００７５】
その他の構成は、前記第１の実施の形態に係る鉄筋結束具１２と同様であるため、このような本発明の第２の実施の形態に係る鉄筋結束具２２を用いることによっても、鉄筋の位置決めを容易に行うことができ、作業者の作業習熟度に依存せず、容易かつ短時間に鉄筋の交差部を固定することができる。
【００７６】
本実施の形態に係る鉄筋結束具２２を用いて、格子状に配置された鉄筋６（図８参照）のそれぞれの交差部を固定する手順は、まず、図６（ａ）に示すように、略平行に並んで配置された複数の縦配筋６ａの上に鉄筋結束具２２を配置し、鉄筋結束具２２の基材２４に設けられた第１鉄筋係止部１６を、それぞれの縦配筋６ａに係止させる。
【００７７】
そして、図６（ｂ）に示すように、縦配筋６ａの上に配置された鉄筋結束具２２の上に、複数の横配筋６ｂを、それぞれの横配筋６ｂが縦配筋６ａの長さ方向に対して略直角方向に伸び、複数の横配筋６ｂが縦配筋６ａの長さ方向に所定の間隔をおいて略平行に並ぶように配置し、鉄筋結束具２２の基材２４に設けられた第２鉄筋係止部１８に、それぞれの横配筋６ｂを係止させる。
【００７８】
このようにして、複数の鉄筋結束具２２を用いて、格子状に配置された複数の縦配筋６ａと複数の横配筋６ｂのそれぞれの交差部を固定することができる。
【００７９】
このとき、鉄筋結束具２２は、図６（ａ）に示すように、その基材２４の縦配筋６ａの長さ方向に対して略直角な方向に所定の間隔をおいて略平行に並んだ、隣り合う複数の第１鉄筋係止部１６の間の距離Ｄ２が、複数の縦配筋６ａの間隔に一致するように形成されると共に、図６（ｂ）に示すように、基材２４の横配筋６ｂの長さ方向に対して略直角な方向に所定の間隔をおいて略平行に並んだ、隣り合う複数の第２鉄筋係止部１８の間の距離Ｄ３が、縦配筋６ａの上に配置される複数の横配筋６ｂの間隔に一致するように形成されている。
【００８０】
また、本実施の形態に係る鉄筋結束具２２は、前記第１の実施の形態に係る鉄筋結束具１２と同様に、第１鉄筋係止部１６や第２鉄筋係止部１８を、基材２４に後から形成することができるようになっている。
【００８１】
それにより、例えば、鉄筋結束具２２の基材２４に前もって第１鉄筋係止部１６や第２鉄筋係止部１８を設けずに、ただの１枚のシート状の鉄筋結束具２２を、複数の縦配筋６ａの上に配置してその上に複数の横配筋６ｂを配置し、鉄筋の数や固定の強さ等を考慮して、適切な位置に第１鉄筋係止部１６や第２鉄筋係止部１８を後から形成する、ということができるため、無駄なく効率的に鉄筋を固定することができる。
【００８２】
なお、本発明は、前記実施の形態のみに限定されるものではなく、本発明の目的を達成することができる範囲内であれば、種々の変更が可能である。
【００８３】
例えば、前記第１の実施の形態に係る鉄筋結束具１２においては、第１鉄筋係止部１６は、基材１４の長さ方向に沿って略一定の間隔で、第２鉄筋係止部１８と交互に設けられているが、第１鉄筋係止部１６は、縦配筋６ａを適切な強さで鉄筋結束具１２に係止することができれば、どのような位置に形成されていてもよい。
【００８４】
例えば、第１鉄筋係止部１６が、基材１４の長さ方向に沿って設けられた複数の第２鉄筋係止部１８の、隣り合う第２鉄筋係止部１８のそれぞれの間に一つおきに設けられていてもよいし、また、隣り合う第２鉄筋係止部１８の間に２つ以上の第１鉄筋係止部１６が設けられていてもよい。
【００８５】
また、前記第１の実施の形態に係る鉄筋結束具１２においては、第１鉄筋係止部１６は、細長い略Ｕ字形の切れ目１６ｃによって切り出された舌片１６ａと、直線状のスリット１６ｂから構成されていたが、第１鉄筋係止部１６は、鉄筋を係止して固定することができれば、どのような形状であってもよい。
【００８６】
例えば、図７（ａ）及び（ｂ）に示すように、舌片２６ａの先端部に、その幅方向（図中左右方向）の寸法が大きくなるような幅広部２６ｄを有する第１鉄筋係止部２６を設けることにより、舌片２６ａの先端部をスリット２６ｂに差し入れた際に、舌片２６ａの幅広部２６ｄがスリット２６ｂの開口部に係止して、舌片２６ａの先端部がスリット２６ｂから抜けにくくなるようにしてもよい。
【００８７】
また、図７（ｃ）に示すように、スリット３６ｂの両端部から斜めに伸びる補助スリット３６ｄを有する第１鉄筋係止部３６や、図７（ｄ）に示すように、スリット４６ｂの両端部から図中上下それぞれの方向に略直角に伸びる補助スリット４６ｄを有する第１鉄筋係止部４６を設けることにより、舌片３６ａ，４６ａの先端部をスリット３６ｂ，４６ｂに差し入れ易くしてもよい。
【００８８】
そして、これらの第１鉄筋係止部２６，３６，４６の舌片２６ａ，３６ａ，４６ａやスリット２６ｂ，３６ｂ，４６ｂを組み合わせたような形状に形成されていてもよい。
【００８９】
そして、第２鉄筋係止部１８も、上記第１鉄筋係止部２６，３６，４６と同じような形状に形成されていてもよい。
【００９０】
また、前記第１及び第２の実施の形態に係る鉄筋結束具１２，２２においては、基材１４，２４の表面は平坦に形成されていたが、例えば、基材１４，２４の表面や外周部に、鉄筋の位置決めの際に使用するために、目盛状の模様や形状を設けてもよい。
【００９１】
また、前記第１及び第２の実施の形態に係る鉄筋結束具１２，２２においては、基材１４，２４は可撓性を有する材料により形成されているが、それに加えて、基材１４，２４を形成するために用いられる材料が弾性を有することにより、鉄筋結束具１２，２２の基材１４，２４が水平方向に伸縮するように形成されていてもよい。
【００９２】
また、前記第１及び第２の実施の形態に係る鉄筋結束具１２，２２においては、図４及び図６に示すように、縦配筋６ａと横配筋６ｂの間に挟まれるように鉄筋結束具１２，２２が配置されているが、鉄筋結束具１２，２２の基材１４，２４は可撓性を有する材料により形成されているため、縦配筋６ａの上に既に横配筋６ｂが配置された状態（図８参照）でその上からの縦配筋６ａと横配筋６ｂの上部に沿うように鉄筋結束具１２，２２を配置してもよい。
【００９３】
また、前記第１及び第２の実施の形態に係る鉄筋結束具１２，２２においては、図８に示すような床スラブ１を形成する鉄筋６に用いられるだけでなく、例えば壁材や柱材のような、他の鉄筋コンクリートの構造物を形成するために用いてもよい。
【符号の説明】
【００９４】
１  床スラブ
２  鉄筋結束具
２ａ  屈曲部
２ｂ  両側部
４  デッキプレート
６  鉄筋
６ａ  縦配筋
６ｂ  横配筋
８  コンクリート
１０  ハッカー
１０ａ  先端部
１２  鉄筋結束具
１４  基材
１６  第１鉄筋係止部
１６ａ  舌片
１６ｂ  スリット
１６ｃ  切れ目
１８  第２鉄筋係止部
１８ａ  舌片
１８ｂ  スリット
１８ｃ  切れ目
２２  鉄筋結束具
２４  基材
２６  第１鉄筋係止部
２６ａ  舌片
２６ｂ  スリット
２６ｃ  切れ目
２６ｄ  幅広部
３６  第１鉄筋係止部
３６ａ  舌片
３６ｂ  スリット
３６ｃ  切れ目
３６ｄ  補助スリット
４６  第１鉄筋係止部
４６ａ  舌片
４６ｂ  スリット
４６ｃ  切れ目
４６ｄ  補助スリット
Ｄ１，Ｄ２，Ｄ３  距離
【図１】
2020159022.tif 000003
【図２】
2020159022.tif 000004
【図３】
2020159022.tif 000005
【図４】
2020159022.tif 000006
【図５】
2020159022.tif 000007
【図６】
2020159022.tif 000008
【図７】
2020159022.tif 000009
【図８】
2020159022.tif 000010
【図９】
2020159022.tif 000011